(57)【要約】【課題】  スペーサーによって生じうる光損失を減少させることができるディスプレイモジュール及びディスプレイ装置を提供する。【解決手段】  ディスプレイモジュールは、ディスプレイパネルと、拡散板と、ボトムシャーシと、拡散パターンを備え、前記拡散板を支持するようにボトムシャーシ上に配置された透明スペーサーと、を含む。前記スペーサーは、前記スペーサーを通じて光が透過できるように構成され、前記スペーサーを通じて伝達された光を拡散させるように構成された拡散パターンが形成される。【選択図】      図４
2014149529.tif 000002
【特許請求の範囲】
【請求項１】
ディスプレイパネルと、
前記ディスプレイパネルの後方側に配置される拡散板と、
前記拡散板の後方側に配置されるボトムシャーシと、
前記拡散板と前記ボトムシャーシとの間のスペーサーとを含み、
前記スペーサーは、光が透過できるように透明材質で形成され、前記スペーサーの前記ボトムシャーシ側の一部領域には光を拡散させるための拡散パターンが形成される、ディスプレイモジュール。
【請求項２】
前記拡散パターンは、前記スペーサーの外面に凹状に形成された複数の溝によって形成される、請求項１に記載のディスプレイモジュール。
【請求項３】
前記複数の溝は、前記ボトムシャーシの後面と平行に延びる、請求項２に記載のディスプレイモジュール。
【請求項４】
前記拡散パターンは、前記スペーサーの外面に凸状に形成された突起によって形成される、請求項１に記載のディスプレイモジュール。
【請求項５】
前記複数の突起は、前記ボトムシャーシの後面と平行に延びる、請求項４に記載のディスプレイモジュール。
【請求項６】
前記スペーサーは、前記ボトムシャーシ側から前記拡散板側に行くほど次第に狭くなる幅を有する板状に形成され、
前記拡散パターンは、前記スペーサーの表面に形成される、請求項１に記載のディスプレイモジュール。
【請求項７】
前記スペーサーは、三角形板状に形成される、請求項６に記載のディスプレイモジュール。
【請求項８】
前記スペーサーは、前記スペーサーのボトムシャーシ側の端部に設けられて、前記ボトムシャーシの内面に支持される支持部を含む、請求項１に記載のディスプレイモジュール。
【請求項９】
前記拡散板と対向する前記支持部の面は白色である、請求項８に記載のディスプレイモジュール。
【請求項１０】
前記スペーサーは、前記ボトムシャーシを貫通するように構成された係止部を含み、
前記ボトムシャーシは、前記係止部が通過する係止孔を含む、請求項１に記載のディスプレイモジュール。
【請求項１１】
請求項１〜１０のいずれかに記載のディスプレイモジュールを含む、ディスプレイ装置。
【発明の詳細な説明】
【技術分野】
【０００１】
実施例は、画像を表示するためのディスプレイパネルと、ディスプレイパネルに光を照射するためのバックライトユニットとを備えたディスプレイモジュール及びそれを備えたディスプレイ装置に関する。
【背景技術】
【０００２】
一般に、ディスプレイモジュールは、画像がディスプレイされるディスプレイパネルを含む装置であって、モニタやテレビなどのような様々なディスプレイ装置に適用して使用することができる。
【０００３】
ディスプレイパネルとしては液晶表示パネルが広く使用されているが、液晶表示パネルを使用するディスプレイパネルは自発光できないため、ディスプレイパネルの後方側にはバックライトユニットが配置され、ディスプレイパネルとバックライトユニットとの間には、バックライトユニットから照射された光を拡散させて、光がディスプレイパネルに全体的に均一に分散供給され得るようにする拡散板が配置される。
【０００４】
また、このようなディスプレイモジュールは、ディスプレイモジュールの後面を形成するボトムシャーシと拡散板とが一定距離離隔した状態を維持するようにするスペーサーを含む。
【発明の概要】
【発明が解決しようとする課題】
【０００５】
実施例は、スペーサーによって生じうる光損失を減少させることができるディスプレイモジュール及びディスプレイ装置を提供する。
【課題を解決するための手段】
【０００６】
実施例の一側面に係るディスプレイモジュールは、ディスプレイパネルと、拡散板と、ボトムシャーシと、前記ボトムシャーシ上に配置され、前記拡散板を支持するように構成されたスペーサーとを含み、前記スペーサーは、前記スペーサーを通じて光が透過できるように構成され、前記スペーサーを通じて伝達された光を拡散させるように構成された拡散パターンが形成される。
【０００７】
また、前記拡散パターンは、前記スペーサーの外面に凹状に形成された複数の溝によって形成されてもよい。
【０００８】
また、前記複数の溝は、前記ボトムシャーシの後面と平行に延びることができる。
【０００９】
また、前記拡散パターンは、前記スペーサーの外面に凸状に形成された突起によって形成されてもよい。
【００１０】
また、前記複数の突起は、前記ボトムシャーシの後面と平行に延びることができる。
【００１１】
また、前記スペーサーは、前記ボトムシャーシ側から前記拡散板側に行くほど次第に狭くなる幅を有する板状に形成され、前記拡散パターンは、前記スペーサーの表面に形成することができる。
【００１２】
また、前記スペーサーは、三角形板状に形成することができる。また、前記スペーサーは、前記スペーサー部のボトムシャーシ側の端部に設けられて、前記ボトムシャーシの内面に配置されるように構成された支持部を含むことができる。
【００１３】
また、前記拡散板と対向する前記スペーサーの前記支持部の面は白色であってもよい。
【００１４】
また、前記スペーサーは、前記ボトムシャーシを貫通するように構成された係止部を含み、前記ボトムシャーシは、前記係止部が通過する係止孔を含むことができる。
【００１５】
また、実施例の一側面に係るディスプレイ装置は、ディスプレイモジュールを含み、前記ディスプレイモジュールは、ディスプレイパネルと、拡散板と、ボトムシャーシと、前記ボトムシャーシ上に配置され、前記拡散板を支持するように構成されたスペーサーとを含み、前記スペーサーは、前記スペーサーを通じて光が透過できるように構成され、前記スペーサーを通じて伝達された光を拡散させるための拡散パターンが形成される。
【発明の効果】
【００１６】
上述したように、スペーサー部には、ボトムシャーシ側に拡散パターンが形成されているので、スペーサー部内に流入した光が拡散パターンによって拡散され、スペーサー部から外側に出射され得る。したがって、係止部を通じてボトムシャーシの後方側に漏れることによって発生し得る光損失を減少させることができる。
【図面の簡単な説明】
【００１７】
【図１】一実施例に係るディスプレイ装置の分解斜視図である。
【図２】一実施例に係るディスプレイモジュールの分解斜視図である。
【図３】一実施例に係るディスプレイモジュールの断面図である。
【図４】一実施例に係るスペーサーの設置状態を示す斜視図である。
【図５】図３のＡ部分の断面図である。
【図６】一実施例に係るスペーサーの部分断面図である。
【発明を実施するための形態】
【００１８】
以下では、実施例に係るディスプレイ装置について、図面を参照して詳細に説明する。
【００１９】
ディスプレイ装置は、図１に示すように、画像が表示されるディスプレイモジュール１０と、前後方向に互いに結合され、これらの間にディスプレイモジュール１０が設置されるフロントケース２０Ｆ及びリアケース２０Ｒとを含む。制御基板３０は、ディスプレイモジュール１０とリアケース２０Ｒとの間に配置され、ディスプレイモジュール１０に電源及び信号を伝達する。
【００２０】
ディスプレイモジュール１０は、図２及び図３に示すように、液晶表示パネルからなり、画面が表示されるディスプレイパネル１１と、ディスプレイパネル１１の後方側に離隔配置されて、ディスプレイパネル１１に光を供給するバックライトユニット１２と、バックライトユニット１２から照射された光を拡散させる拡散板１３と、ディスプレイパネル１１の後面に配置される各種光学シート１４Ａ，１４Ｂとを含む。
【００２１】
また、ディスプレイモジュール１０は、ディスプレイパネル１１及び拡散板１３を支持するミドルモールド１５と、ミドルモールド１５の前方側に設置され、ディスプレイパネル１１がミドルモールド１５に設置されている状態を維持するようにするトップシャーシ１６と、ミドルモールド１５の後方側に設置され、バックライトユニット１２が設置されるボトムシャーシ１７とを含む。
【００２２】
バックライトユニット１２は、導電性パターンが形成され、ボトムシャーシ１７に配置された印刷回路基板１２ａと、拡散板１３と対向するように印刷回路基板１２ａの前面に設置された発光ダイオード１２ｂと、発光ダイオード１２ｂに設置されて、発光ダイオード１２ｂで発生した光を拡散させる円形のレンズ１２ｃとを含む。
【００２３】
本実施例において、印刷回路基板１２ａは、ディスプレイパネル１１に対応するように、一方向に長さを有するように長く延び、複数個の印刷回路基板１２ａが互いに平行に離隔配置される。各印刷回路基板１２ａには、複数の発光ダイオード１２ｂ及び各発光ダイオード１２ｂに設置された複数のレンズ１２ｃがその長手方向に互いに離隔配置され、複数の印刷回路基板１２ａは、連結基板１２ｄを通じて互いに連結される。
【００２４】
光学シート１４Ａ，１４Ｂは、拡散板１３によって拡散された光がディスプレイパネル１１に垂直な方向に集光されるようにするプリズムフィルム１４Ａと、プリズムフィルム１４Ａを保護するための保護フィルム１４Ｂなどを含むことができる。
【００２５】
ミドルモールド１５は、前方側にディスプレイパネル１１が配置され、後方側に拡散板１３が配置されて、ディスプレイパネル１１及び拡散板１３などの構成を支持する。
【００２６】
トップシャーシ１６は、ディスプレイパネル１１の前面外郭側を覆うベゼル部１６ａと、ベゼル部１６ａの外郭側から後方側に折れ曲がったトップ側面部１６ｂとを備える。
【００２７】
ボトムシャーシ１７は、略矩形形状に形成され、バックライトユニット１２が載置される後面部１７ａと、後面部１７ａの外郭側から前方側に延びたボトム側面部１７ｂとを含み、後面部１７ａには、凹状に形成されて、バックライトユニット１２の印刷回路基板１２ａが載置される載置溝１７ｃが設けられる。
【００２８】
また、ディスプレイモジュール１０は、ボトムシャーシ１７と拡散板１３との間を支持して、ボトムシャーシ１７と拡散板１３とが一定距離距離した状態を維持できるようにするスペーサー１８を含む。複数個のスペーサー１８は、格子状に互いに離隔配置される。
【００２９】
スペーサー１８は、図４に示すように、後方に位置したボトムシャーシ１７側から拡散板１３に向かって延び、ボトムシャーシ１７の内面と拡散板１３の後面との間の空間に配置されて、ボトムシャーシ１７と拡散板１３との間が一定距離離隔した状態を維持するようにするスペーサー部１８ａと、スペーサー部１８ａのボトムシャーシ１７側の端部に設けられて、ボトムシャーシ１７の内面に支持される支持部１８ｂと、支持部１８ｂから延び、ボトムシャーシ１７を貫通して係止される係止部１８ｃとを一体に含む。
【００３０】
スペーサー部１８ａは、ボトムシャーシ１７の内面に対して直角方向に延び、ボトムシャーシ１７側から拡散板１３側に行くほど次第に狭くなる幅を有する板状に形成される。本実施例において、スペーサー部１８ａは、略三角形板状に形成される。
【００３１】
支持部１８ｂは、スペーサー部１８ａのボトムシャーシ１７側の端部にボトムシャーシ１７の内面と平行な円板形状に一体に形成されて、ボトムシャーシ１７の内面に支持される。したがって、スペーサー部１８ａがボトムシャーシ１７に対して直角に設置された状態を維持することができる。
【００３２】
係止部１８ｃは、支持部１８ｂから後方側に延設されて、ボトムシャーシ１７を貫通して係止される。ボトムシャーシ１７には、係止部１８ｃが貫通して設置される係止孔１７ｄが設けられる。
【００３３】
このようなスペーサー１８は、発光ダイオード１２ｂから照射された光が通過して拡散板１３に伝達され得るように透明材質で形成される。
【００３４】
このように、スペーサー１８を透明材質で形成すれば、発光ダイオード１２ｂで発生した光の一部はスペーサー部１８ａ内に進入し、スペーサー部１８ａに沿って係止部１８ｃまで移動して、係止部１８ｃを通じてボトムシャーシ１７の後方側に漏れてしまう。これによって、光損失が生じうる。
【００３５】
したがって、スペーサー部１８ａの一つ以上の面には、光を拡散させるための拡散パターン１８ａ−１が設けられる。本実施例において、拡散パターン１８ａ−１は、凹状に形成され、ボトムシャーシ１７の後面と平行に延びた溝によって形成される。
【００３６】
このとき、拡散パターン１８ａ−１は、スペーサー部１８ａのボトムシャーシ側の一部領域１８ｄにのみ制限的に形成される。これは、拡散パターン１８ａ−１がスペーサー部１８ａの拡散板側の端部１８ｅに形成される場合、発光ダイオード１２ｂで発生した光がスペーサー部１８ａの拡散板側の端部１８ｅを通過して拡散板１３側に伝達されないことがあるため、これを防止するためである。
【００３７】
上記のように、スペーサー部１８ａのボトムシャーシ側の端部１８ｄに制限的に拡散パターン１８ａ−１を形成すれば、発光ダイオード１２ｂで発生した光は、支持部１８ｂの拡散板側の端部を通過して拡散板１３に到達し、スペーサー部１８ａの拡散板側の端部１８ｅを通じてスペーサー部１８ａ内に入射された光は、スペーサー部１８ａの内部に沿ってスペーサー部１８ａのボトムシャーシ側の端部１８ｄに移動する途中、拡散パターン１８ａ−１によって拡散されながら、スペーサー部１８ａから出射される。したがって、スペーサー１８の係止部１８ｃに伝達される光が減少し、それによって、光損失が減少する。
【００３８】
また、支持部１８ｂの拡散板１３と対応する面は白色とすることができる。これは、支持部１８ｂを通じてスペーサー１８内に光が流入することを防止するためである。
【００３９】
本実施例において、拡散パターン１８ａ−１は、ボトムシャーシ１７と平行に延びた溝で形成されているが、これに限定されるものではない。図６に示すように、ボトムシャーシ１７と平行に延びた突起によってスペーサー部１８ａ’に拡散パターン１８ａ−２が形成されるようにしてもよく、その他にも様々な形態の拡散パターンによって光が拡散されるようにすることも可能である。
【００４０】
本発明は、上記で記載した実施例に限定されるものではなく、本発明の思想から逸脱しない範囲で様々な修正及び変形が可能であるということは、当該技術の分野における通常の知識を有する者にとって自明である。したがって、修正例または変形例は本発明の特許請求の範囲に属するものと解さねばならない。
【符号の説明】
【００４１】
１０    ディスプレイモジュール
１１    ディスプレイパネル
１２    バックライトユニット
１３    拡散板
１５    ミドルモールド
１６    トップシャーシ
１７    ボトムシャーシ
１８    スペーサー
１８ａ  スペーサー部
１８ａ−１  拡散パターン
１８ｂ  支持部
１８ｃ  係止部
【図１】
2014149529.tif 000003
【図２】
2014149529.tif 000004
【図３】
2014149529.tif 000005
【図４】
2014149529.tif 000006
【図５】
2014149529.tif 000007
【図６】
2014149529.tif 000008